(57)【要約】【課題】複数の歪ゲージユニットの識別を容易とし、歪測定器との接続確認を煩わしい作業を必要とせずに行うことができる識別式の歪ゲージユニットを提供する。【解決手段】本発明の識別式の歪ゲージユニットは、予め定めた大きさのフイルム１２ａ〜１２ｎ上に歪ゲージ１３ａ〜１３ｎが貼付けられた歪ゲージ部１１ａ〜１１ｎと、歪ゲージ部１１ａ〜１１ｎに接続するリード線１５ａ〜１５ｎと、リード線１５ａ〜１５ｎに取付けられ、予め定めた識別ＩＤ情報が記入される識別タグ２０ａ〜２０ｎとを備えることとした。【選択図】      図１
2004294382.tif 000002
【特許請求の範囲】
【請求項１】
予め定めた大きさのフイルム上に歪ゲージが貼付けられた歪ゲージ部と、前記歪ゲージ部に接続するリード線と、前記リード線に取付けられ、予め定めた識別ＩＤ情報が記入される識別タグとを備えたことを特徴とする識別式の歪ゲージユニット。
【請求項２】
予め定めた大きさのフイルム上に歪ゲージが貼付けられた歪ゲージ部と、前記歪ゲージ部に接続するリード線とを備え、前記リード線は、着色される色により予め設定された識別ＩＤ情報を有することを特徴とする識別式の歪ゲージユニット。
【請求項３】
予め定めた大きさのフイルム上に歪ゲージが貼付けられた歪ゲージ部と、前記歪ゲージ部に接続するリード線と、予め定めた識別ＩＤ情報が記憶され、前記リード線に取付けられる識別ＲＦＩＤタグとを備えことを特徴とする識別式の歪ゲージユニット。
【請求項４】
前記識別ＲＦＩＤタグは、記憶した前記識別ＩＤ情報を予め定めた識別モニタに送信し表示することを特徴とする請求項３に記載の識別式の歪ゲージユニット。
【発明の詳細な説明】
【０００１】
【発明の属する技術分野】
本発明は、複数の歪ゲージユニットが使用されるときの識別を容易にする識別式の歪ゲージユニット関する。
【０００２】
【従来の技術】
図５は、従来の歪ゲージユニットが複数使用され歪測定が行われるときの外観図を示す。
【０００３】
図５に示すように、従来の歪ゲージユニット８０ａは、薄いフイルム８２ａ上に歪ゲージ８３ａが貼付けられた歪ゲージ部８１ａと、歪ゲージ部８１ａに接続するリード線８５ａとで構成されている（例えば、特許文献１参照）。他の歪ゲージユニット８０ｂ〜８０ｎも同様に構成されており、歪ゲージユニット８０ｂは、薄いフイルム８２ｂ上に歪ゲージ８３ｂが貼付けられた歪ゲージ部８１ｂと、歪ゲージ部８１ｂに接続するリード線８５ｂとで構成され、歪ゲージユニット８０ｎも、薄いフイルム８２ｎ上に歪ゲージ８３ｎが貼付けられた歪ゲージ部８１ｎと、歪ゲージ部８１ｎに接続するリード線８５ｎとで構成されている。
【０００４】
歪ゲージ８３ａ〜８３ｎは、歪が与えられたとき抵抗値が変化する物理現象を応用して歪測定を行なうもので、被測定体の表面にフイルム８２ａ〜８２ｎによって取付けられ、その歪は歪測定器９０で電気量に変換される。
【０００５】
複数の歪ゲージユニット８０ａ〜８０ｎは、リード線８５ａ〜８５ｎによりそれぞれ対応する測定チャンネル（１ｃｈ）９１ａ〜測定チャンネル（ｎｃｈ）９１ｎに接続し、歪ゲージ８３ａ〜８３ｎごとの測定が行われる。
【０００６】
図６は、従来の歪ゲージユニットを使用し自動車の測定を行うときの外観図を示す。
【０００７】
図６に示すように、振動加振装置７０には、加振を行う油圧シリンダユニット７１に架台７２が取付けられ、被測定の自動車７９は、架台７２に車輪７８が固定されて振動加振装置７０に取付けられる。複数の歪ゲージユニット８０ａ〜８０ｎは、被測定の自動車７９の予め定めた複数の位置にそれぞれ取付けられ、被測定の自動車７９は、振動加振装置７０により加振され、歪測定により車体の剛性特性や耐久特性の分析が行われる。
【０００８】
【特許文献１】
特開平８−３１３３７０号公報
【発明が解決しようとする課題】
上記したように、従来の歪ゲージユニット８０ａ〜８０ｎは、複数使用して複数の位置の歪測定を行うことができるが、歪ゲージ８３ａ〜８３ｎと歪測定器９０とはかなり離れリード線８５ａ〜８５ｎが長い場合が多く、また、歪ゲージユニット８０ａ〜８０ｎも多数使用される場合も多いため、歪ゲージユニット８０ａ〜８０ｎが歪測定器９０の予め定めた測定チャンネルに接続しているかどうかの接続確認に極めて煩わしい作業を必要としていた。
【０００９】
本発明は、上記に鑑みてなされたものであって、複数の歪ゲージユニットの識別を容易とし、歪測定器との接続確認を煩わしい作業を必要とせずに行うことができる識別式の歪ゲージユニットを提供することを目的とする。
【００１０】
【課題を解決するための手段】
本発明の識別式の歪ゲージユニットは、予め定めた大きさのフイルム上に歪ゲージが貼付けられた歪ゲージ部と、前記歪ゲージ部に接続するリード線と、前記リード線に取付けられ、予め定めた識別ＩＤ情報が記入される識別タグとを備えることとした。
【００１１】
また、本発明の識別式の歪ゲージユニットは、予め定めた大きさのフイルム上に歪ゲージが貼付けられた歪ゲージ部と、前記歪ゲージ部に接続するリード線とを備え、前記リード線は、着色される色により予め設定された識別ＩＤ情報を有することとした。
【００１２】
また、本発明の識別式の歪ゲージユニットは、予め定めた大きさのフイルム上に歪ゲージが貼付けられた歪ゲージ部と、前記歪ゲージ部に接続するリード線と、予め定めた識別ＩＤ情報が記憶され、前記リード線に取付けられる識別ＲＦＩＤタグとを備えることとした。
【００１３】
さらに、前記識別ＲＦＩＤタグは、記憶した前記識別ＩＤ情報を予め定めた識別モニタに送信し表示することとした。
【００１４】
【発明の実施の形態】
以下、本発明の実施の形態について説明する。
【００１５】
図１は、本発明の第１の実施形態の識別式の歪ゲージユニットが複数使用されるときの外観図を示し、図１（ａ）は、本発明の識別式の歪ゲージユニットが複数使用され歪測定が行われるときの外観図を示し、図１（ｂ）は、本発明の識別式の歪ゲージユニットに装着される識別タグの斜視図を示す。
【００１６】
図１（ａ）に示すように、本発明の第１の実施形態の識別式の歪ゲージユニット１０ａは、長方形状の薄いフイルム１２ａ上に歪ゲージ１３ａが貼付けられた歪ゲージ部１１ａと、歪ゲージ部１１ａに接続するリード線１５ａと、リード線１５ａに装着される識別タグ２０ａとで構成されている。他の識別式の歪ゲージユニット１０ｂ〜１０ｎも同様に構成されており、識別式の歪ゲージユニット１０ｂは、薄いフイルム１２ｂ上に歪ゲージ１３ｂが貼付けられた歪ゲージ部１１ｂと、歪ゲージ部１１ｂに接続するリード線１５ｂと、リード線１５ｂに装着される識別タグ２０ｂとで構成され、識別式の歪ゲージユニット１０ｎも、薄いフイルム１２ｎ上に歪ゲージ１３ｎが貼付けられた歪ゲージ部１１ｎと、歪ゲージ部１１ｎに接続するリード線１５ｎと、リード線１５ｎに装着される識別タグ２０ｎとで構成されている。被測定体の歪測定が行われるときには、歪ゲージ１３ａ〜１３ｎは、被測定体の表面にフイルム１２ａ〜１２ｎを介して取付けられる。
【００１７】
歪ゲージ１３ａ〜１３ｎで発生する歪を電気量に変換する歪測定器３０は、複数の測定チャンネル（１ｃｈ）３１ａ〜測定チャンネル（ｎｃｈ）３１ｎが設けられ、複数の識別式の歪ゲージユニット１０ａ〜１０ｎは、リード線１５ａ〜１５ｎによりそれぞれ対応する測定チャンネル（１ｃｈ）３１ａ〜測定チャンネル（ｎｃｈ）３１ｎに接続し、歪ゲージ１３ａ〜１３ｎごとの測定が行われる。
【００１８】
図１（ｂ）に示すように、識別タグ２０ａは、例えば識別式の歪ゲージユニット１０ａの識別番号や被測定位置などの識別ＩＤ情報が記入されるものであり、識別ＩＤ情報記入板２１ａに取付バンド２２ａが設けられた構成となっている。識別タグ２０ａは、取付バンド２２ａの先端２３ａが矢印Ｐに示すようにリード線１５ａの外側に沿って曲げられ、取付バンド２２ａに形成された止部２４ａの取付穴２５ａに挿入されリード線１５ａに装着される。図１（ｂ）では識別タグ２０ａを示したが、識別タグ２０ｂ〜２０ｎも同様の構成を有し、同様にリード線１５ｂ〜１５ｎに装着される。
【００１９】
従って、識別式の歪ゲージユニット１０ａ〜１０ｎが歪測定器３０の予め定めた測定チャンネルに接続しているかどうかの接続確認は、識別タグ２０ａ〜２０ｎに記入された識別ＩＤ情報と測定チャンネル３１ａ〜３１ｎとを比較するだけで行うことができる。
【００２０】
以上説明したように、本発明の第１の実施形態の識別式の歪ゲージユニットは、識別タグ２０ａ〜２０ｎがリード線１５ｂ〜１５ｎに装着され、複数の歪ゲージユニットの識別を容易とし、歪測定器との接続確認を煩わしい作業を必要とせずに行うことができる。
【００２１】
図２は、本発明の第２の実施形態の識別式の歪ゲージユニットで使用される識別式のリード線の斜視図を示す。
【００２２】
本発明の第２の実施形態の識別式の歪ゲージユニットは、本発明の第１の実施形態の識別式の歪ゲージユニットで使用されるリード線１５ａ〜１５ｎの代わりに識別式のリード線４５を使用するもので、識別式のリード線４５と接続するゲージ部は、本発明の第１の実施形態の識別式の歪ゲージユニットと同じのため説明は省略する。
【００２３】
図２に示すように、本発明の第２の実施形態の識別式の歪ゲージユニットで使用される識別式のリード線４５は、２本の着色リード線４６、４７から構成されている。着色リード線４６は識別ＩＤ情報の１の位を示す茶色、赤色、オレンジ色、黄色、緑色などの色Ａ１で表面が着色されており、また、着色リード線４７は識別ＩＤ情報の１０の位を示すために帯状に特定の色Ａ２で表面が着色され、その他の部分は茶色、赤色、オレンジ色、黄色、緑色などの色Ａ３で表面が着色されている。着色リード線４７は帯状に特定の色Ａ２で表面が着色されているため、識別ＩＤ情報の１の位を示す着色リード線４６と、識別ＩＤ情報の１０の位を示す着色リード線４７とを見分けることができ、識別式のリード線４５の識別ＩＤ情報を識別番号として認識することができる。例えば色Ａ３が赤色で色Ａ１が黄色の場合には識別番号として２４を認識することができる。
【００２４】
従って、識別式の歪ゲージユニット１０ａ〜１０ｎが歪測定器の予め定めた測定チャンネルに接続しているかどうかの接続確認は、識別式のリード線４５に着色された色により識別番号を認識することで行うことができる。
【００２５】
以上説明したように、本発明の第２の実施形態の識別式の歪ゲージユニットは、識別式のリード線４５の着色の色により、複数の歪ゲージユニットの識別を容易とし、歪測定器との接続確認を煩わしい作業を必要とせずに行うことができる。
【００２６】
なお、識別式のリード線４５は、２本の着色リード線４６、４７から構成され、着色リード線４６は全体の表面が着色され、また、着色リード線４７は一部が帯状に特定の色で表面が着色され、その他の部分の表面が所定の色で着色されている例につき説明したが、これに限定することなく、識別式のリード線４５の円周方向に沿って帯状に着色することも、識別式のリード線４５の長手方向に沿って帯状に着色することもできる。
【００２７】
図３は、本発明の第３の実施形態の識別式の歪ゲージユニットで使用される識別ＲＦＩＤタグを示し、図３（ａ）は、識別ＲＦＩＤタグがリード線に装着されたときの斜視図を示し、図３（ｂ）は、リード線に装着された識別ＲＦＩＤタグと識別モニタの外観図を示す。
【００２８】
本発明の第３の実施形態の識別式の歪ゲージユニットは、本発明の第１の実施形態の識別式の歪ゲージユニットで使用される識別タグ２０ａ〜２０ｎの代わりに識別ＲＦＩＤ（Ｒａｄｉｏ  Ｆｒｅｑｕｅｎｃｙ  Ｉｄｅｎｔｉｆｉｃａｔｉｏｎ）タグ５０がリード線に装着されるもので、その他の構成は本発明の第１の実施形態の識別式の歪ゲージユニットと同じのため説明は省略する。
【００２９】
図３（ａ）に示すように、本発明の第３の実施形態の識別式の歪ゲージユニットで使用される識別ＲＦＩＤタグ５０は、リード線５５に装着され、例えば図１に示す識別式の歪ゲージユニット１０ａ〜１０ｎのそれぞれの識別番号や被測定位置などの識別ＩＤ情報が記憶されるものである。
【００３０】
図３（ｂ）に示すように、識別ＲＦＩＤタグ５０は、識別ＲＦＩＤタグ５０に取付けられた取付バンド５８がリード線５５の外側を通りフック５８ａに挿入されてリード線５５に装着される。
【００３１】
識別モニタ６０は、識別ＲＦＩＤタグ５０に接近させられ操作ボタン６６ａが操作されたときたとき、識別ＩＤ情報要求信号６９を識別ＲＦＩＤタグ５０に送信して、識別ＲＦＩＤタグ５０より識別ＩＤ情報信号５９を受信し、受信した識別ＩＤ情報信号５９の例えば「Ｎ０．１  フロントフェンダ」の識別ＩＤ情報は表示部６５で表示され、識別式の歪ゲージユニット１０ａ〜１０ｎの識別が行われる。
【００３２】
図４は、本発明の第３の実施形態の識別式の歪ゲージユニットで使用される識別ＲＦＩＤタグと識別モニタとのブロック図を示す。
【００３３】
図４に示すように、識別モニタ６０は、図３に示す操作ボタン６６ａが操作されたときオンとなる操作スイッチ６６と、操作スイッチ６６がオンしたとき制御部６４より出力される識別ＩＤ情報要求信号を変調して識別ＩＤ情報要求信号６９を出力する変調部６３と、識別ＩＤ情報要求信号６９の送信と識別ＩＤ情報信号５９の受信をするアンテナ部６１と、アンテナ部６１で受信した識別ＩＤ情報信号５９を復調する復調部６２と、識別ＩＤ情報を表示する表示部６５と、全体の制御を行う制御部６４とで構成されている。
【００３４】
識別ＲＦＩＤタグ５０は、識別ＩＤ情報要求信号６９の受信と識別ＩＤ情報信号５９の送信をするアンテナ部５１と、識別ＩＤ情報要求信号６９を復調する復調部５２と、図１に示す識別式の歪ゲージユニット１０ａ〜１０ｎの識別番号や被測定位置などの識別ＩＤ情報を記憶する記憶部５７と、識別ＩＤ情報を変調して識別ＩＤ情報信号５９を出力する変調部５３と、識別モニタ６０よりの識別ＩＤ情報要求信号６９を整流し各部の電源とする整流部５６と、全体の制御を行う制御部５４とで構成されている。
【００３５】
次に、識別モニタ６０と識別ＲＦＩＤタグ５０の動作を図３と図４とにより説明する。
【００３６】
図１に示す識別式の歪ゲージユニット１０ａ〜１０ｎの識別のため、識別モニタ６０が識別ＲＦＩＤタグ５０に接近させられ操作ボタン６６ａが操作されたとき、操作スイッチ６６はオンとなる。操作スイッチ６６がオンとなると制御部６４より識別ＩＤ情報要求信号が変調部６３に出力され、変調部６３では識別ＩＤ情報要求信号を変調して識別ＩＤ情報要求信号６９を出力し、識別ＩＤ情報要求信号６９はアンテナ部６１より送信される。
【００３７】
識別ＲＦＩＤタグ５０は、アンテナ部５１で識別ＩＤ情報要求信号６９を受信し、受信した識別ＩＤ情報要求信号５９６９は復調部５２で復調される。制御部５４は、復調した識別ＩＤ情報要求信号５９６９が入力したとき、記憶部５７よりの識別ＩＤ情報を変調部５３に出力する。変調部５３では、識別ＩＤ情報を変調して識別ＩＤ情報信号５９を出力し、識別ＩＤ情報信号５９はアンテナ部５１より送信される。整流部５６は、識別モニタ６０よりの識別ＩＤ情報要求信号６９を整流し各部の電源とする。
【００３８】
識別モニタ６０では、アンテナ部６１で識別ＩＤ情報信号５９を受信したとき、受信した識別ＩＤ情報信号５９は復調部６２で復調され、復調した識別ＩＤ情報は表示部６５で表示される。表示部６５は、識別ＩＤ情報を容易に認識するために的確な大きさで表示することができる。
【００３９】
従って、識別式の歪ゲージユニット１０ａ〜１０ｎが歪測定器の予め定めた測定チャンネルに接続しているかどうかの接続確認は、識別ＲＦＩＤタグ５０に記憶された識別ＩＤ情報の表示と測定チャンネル３１ａ〜３１ｎとを比較するだけで行うことができる。また、識別ＲＦＩＤタグ５０は小型にできるため、多数の識別式の歪ゲージユニット１０ａ〜１０ｎが使用されてもさらに全体が増大することもなく、識別ＩＤ情報は識別モニタ６０に的確な大きさで表示されることにより明確に認識することができる。
【００４０】
以上説明したように、本発明の第３の実施形態の識別式の歪ゲージユニットは、識別ＲＦＩＤタグ５０がリード線に装着され、複数の歪ゲージユニットの識別を明確容易とし、歪測定器との接続確認を煩わしい作業を必要とせずに行うことができる。
【００４１】
【発明の効果】
本発明の識別式の歪ゲージユニットは、予め定めた大きさのフイルム上に歪ゲージが貼付けられた歪ゲージ部と、前記歪ゲージ部に接続するリード線と、前記リード線に取付けられ、予め定めた識別ＩＤ情報が記入される識別タグとを備えることとしたため、識別タグにより複数の歪ゲージユニットの識別を容易とし、歪測定器との接続確認を煩わしい作業を必要とせずに行うことができる。
【００４２】
また、本発明の識別式の歪ゲージユニットは、予め定めた大きさのフイルム上に歪ゲージが貼付けられた歪ゲージ部と、前記歪ゲージ部に接続するリード線とを備え、前記リード線は、着色される色により予め設定された識別ＩＤ情報を有することとしたため、リード線の着色の色により、複数の歪ゲージユニットの識別を容易とし、歪測定器との接続確認を煩わしい作業を必要とせずに行うことができる。
【００４３】
また、本発明の識別式の歪ゲージユニットは、予め定めた大きさのフイルム上に歪ゲージが貼付けられた歪ゲージ部と、前記歪ゲージ部に接続するリード線と、予め定めた識別ＩＤ情報が記憶され、前記リード線に取付けられる識別ＲＦＩＤタグとを備えることとしたため、識別ＲＦＩＤタグにより複数の歪ゲージユニットの識別を容易とし、歪測定器との接続確認を煩わしい作業を必要とせずに行うことができる。
【００４４】
さらに、前記識別ＲＦＩＤタグは、記憶した前記識別ＩＤ情報を予め定めた識別モニタに送信し表示することとしたため、複数の歪ゲージユニットの識別を明確容易に行うことができる。
【００４５】
【図面の簡単な説明】
【図１】図１は、本発明の第１の実施形態の識別式の歪ゲージユニットが複数使用されるときの外観図を示し、図１（ａ）は、本発明の識別式の歪ゲージユニットが複数使用され歪測定が行われるときの外観図を示し、図１（ｂ）は、本発明の識別式の歪ゲージユニットに装着される識別タグの斜視図を示す。
【図２】本発明の第２の実施形態の識別式の歪ゲージユニットで使用される識別式のリード線の斜視図を示す。
【図３】本発明の第３の実施形態の識別式の歪ゲージユニットで使用される識別ＲＦＩＤタグを示し、図３（ａ）は、識別ＲＦＩＤタグがリード線に装着されたときの斜視図を示し、図３（ｂ）は、リード線に装着された識別ＲＦＩＤタグと識別モニタの外観図を示す。
【図４】本発明の第３の実施形態の識別式の歪ゲージユニットで使用される識別ＲＦＩＤタグと識別モニタとのブロック図を示す。
【図５】従来の歪ゲージユニットが複数使用され歪測定が行われるときの外観図を示す。
【図６】従来の歪ゲージユニットを使用し自動車の測定を行うときの外観図を示す。
【符号の説明】
１０ａ〜１０ｎ  歪ゲージユニット
１１ａ〜１１ｎ  歪ゲージ部
１２ａ〜１２ｎ  フイルム
１３ａ〜１３ｎ  歪ゲージ
１５ａ〜１５ｎ  リード線
２０ａ〜２０ｎ  識別タグ
３０  歪測定器
４５  識別式のリード線
４６、４７  着色リード線
５０  識別ＲＦＩＤタグ
５１、６１  アンテナ部
５２、６２  復調部
５３、６３  変調部
５４、６４  制御部
５６  整流部
５７  記憶部
６０  識別モニタ
６５  表示部
６６  操作スイッチ
６６ａ  操作ボタン
【図１】
2004294382.tif 000003
【図２】
2004294382.tif 000004
【図３】
2004294382.tif 000005
【図４】
2004294382.tif 000006
【図５】
2004294382.tif 000007
【図６】
2004294382.tif 000008